(57)【要約】【課題】送風機の入力低減と室外ユニットとしての騒音低減を図る。【解決手段】羽根車と、羽根車の羽根の吐出側の外周を囲うオリフィス８から成り、オリフィスの吐出側８ｂは吐出方向に向かって次第に広がる吹出口９を有し、前記羽根車の羽根７の吐出側の外周端部の略半径方向外側で、上記オリフィス８の吐出側の内壁８ｂ１から離れた位置にリング状の板１０を配置した構成としてある。これにより、羽根車から吹出され最も流速が早くなる羽根外周側のオリフィス内壁近傍の流れが、スムーズに減速しつつ流れる。よって、羽根外周側の動圧が静圧に損失を抑えながら効率よく変換されて広がり、送風機としての空力性能とファン効率が向上し、送風機の入力低減と室外ユニットとしての騒音低減を図ることができる。【選択図】図２
2014240633.tif 000002
【特許請求の範囲】
【請求項１】
モータが連結されたハブとハブの周囲に配設された複数の羽根とからなる羽根車と、前記複数の羽根の吐出側の外周を囲うオリフィスから成り、前記オリフィスの吐出側は吐出方向に向かって次第に広がる吹出口を有し、前記羽根の吐出側の外周端部の略半径方向外側で、上記オリフィスの吐出側の内壁から離れた位置にリング状の板を配置したことを特徴とする送風機。
【請求項２】
羽根の吐出側外周端部を、オリフィスの吐出側の内壁に沿って略一定の隙間を保つように羽根の吐出側ほど半径方向に延出し、前記延出した外周端部のさらに略半径方向外周に、リング状の板を配置したことを特徴とする請求項１に記載の送風機。
【請求項３】
リング状の板の上流端から下流端までのオリフィスの吐出側の内壁との間の距離を、略一定としたことを特徴とした請求項１または２に記載の送風機。
【請求項４】
リング状の板とオリフィスの吐出側の内壁との間の距離が、リング状の板の上流端の方が下流端よりも広いことを特徴とした請求項１または２に記載の送風機。
【請求項５】
本体筐体と、前記本体筐体の内部に配置した送風機と、前記送風機の吐出側に配置した吹出グリルから成り、前記送風機は請求項１〜４のいずれか１項記載の送風機とするとともに、前記送風機のリング状の板は前記吹出グリルの外枠部の一部で構成したことを特徴とする室外ユニット。
【発明の詳細な説明】
【技術分野】
【０００１】
本発明は、送風機及び当該送風機を搭載した空気調和機やヒートポンプ式給湯機などの冷凍装置の室外ユニットに関するものである。
【背景技術】
【０００２】
近年、空気調和機やヒートポンプ式給湯機は、地球温暖化などの対応として省エネが急激に進んでおり、機器の低入力化が促進されている。一方、空気調和機の暖房快適性の向上など室内機、室外機の熱交換性能の向上を求められており、熱交換器の高性能化とともに、室内、室外の送風機の高効率高性能も必須となってきている。
【０００３】
従来、室外ユニットの送風機には、大風量でかつ低騒音の観点から軸流式、あるいは斜流式の送風機が用いられてきた。しかし、空気調和機、ヒートポンプ式給湯機のさらなる省エネの促進のため、室外ユニットの送風機にも低入力化が必要であり、室外ユニットとして所定の風量を維持しつつ、送風機の送風効率をさらに向上することが求められている。
【０００４】
室外ユニットの送風機としては、特許文献１に記載されたようなものが見られる。
【０００５】
図１４〜図１８は、特許文献１に記載の空気調和機用室外ユニットを示すものである。この空気調和機用の室外機は、図１４および図１５に示すように、仕切り板１０５により機械室１０６と熱交換室１０７とに区画された横断面直方体形状の本体ケーシング１０１と、該本体ケーシング１０１における熱交換室１０７に配設された軸流ファン１０２と、該軸流ファン１０２の上流側であって前記本体ケーシング１０１におけるケーシング前板１０１ａを除く二側面に形成された空気吸込口１０３，１０３に対向する横断面Ｌ字形状の熱交換器１０４とを備えて構成されている。符号１０８は本体ケーシング１０１における機械室１０６に配設された圧縮機である。
【０００６】
前記本体ケーシング１０１における前記軸流ファン１０２の吹出側には、多数の横桟１１０，１１０・・と該横桟１１０，１１０・・を連結する縦桟１１１，１１１・・とからなる吹出グリル１０９が設けられている。上記吹出グリル１０９は、図１６に示すように、横桟１１０，１１０・・は、指入れを防止できる間隔で配置されていて吹出グリル１０９の主要部を構成し、縦桟１１１，１１１・・は、横桟１１０，１１０・・を連結するためだけに用いられている。そして、前記の各横桟１１０は、前記軸流ファン１０２の回転方向Ｍに関して一端側と他端側とで反対の傾きとなるように構成され且つ等間隔で配置されている。
【０００７】
即ち、図１７に示すように、各横桟１１０の一端側が矢印Ｎ１で示す方向に傾斜角度＋θ°だけひねられ、各横桟１１０の他端側が矢印Ｎ２で示す方向に傾斜角度−θ°だけひねられており、各横桟１１０の中央部の傾斜角度は０°とされている。
【０００８】
つまり、前記各横桟１１０における傾斜角度θは、一端側から他端側にかけて連続して変化せしめられているのである。
【０００９】
次に、特許文献１に記載の空気調和機用の室外ユニットの作用を説明する。
【００１０】
まず、軸流ファン１０２が回転駆動して、本体ケーシング１０１の空気吸込口１０３から熱交換器１０４を介して室外空気を吸引し、その室外空気を軸流ファン１０２に導く。
その際、軸流ファン１０２にて動圧と静圧が付加され送風作用を成す。また、熱交換器１０４を通過する際に、圧縮機１０８の作動により熱交換器１０４の管内を流動する冷媒と熱交換する。
【００１１】
そして、室外機の運転中において、軸流ファン１０２から吹き出される旋回成分を有する空気流Ｗ（図１６参照）が、軸流ファン１０２の回転方向Ｍ（図１６参照）に関して一端側と他端側とで反対の傾きとされている吹出グリル１０９の横桟１１０，１１０・・を通過する際の通風抵抗が大幅に低減されて吹出グリル１０９から吹出すことになる。
【００１２】
従って、横桟１１０，１１０・・の間隔を異物侵入を抑制し得る程度の狭さとしても、吹出グリル１０９の通風抵抗低減効果を確保して、ファン入力の低減と騒音の低減とを図ることができる。また、各横桟１１０における傾斜角度θを、一端側から他端側にかけて連続して変化せしめるようにしているから、軸流ファン１０２からの吹出空気流Ｗの風速分布に対応させ易くなり、吹出グリル１０９の通風抵抗低減効果をより増大させて、ファン入力の低減と騒音の低減とを図ることができる。
【００１３】
また、各横桟１１０は、図１８に示すように、該横桟１１０の断面における最大直線長さを桟断面軸Ｏとしたとき該桟断面軸Ｏに対して対称となる形状としてあり、断面円弧形状のものに比べて吹出空気流の剥離を小さく抑えることができるところから、吹出グリル１０９の有効流路面積が大きくなって通風抵抗低減効果が増大し、更なるファン入力の低減と騒音の低減とを図ることができる。
【先行技術文献】
【特許文献】
【００１４】
【特許文献１】特開２００７−１６３０３６号公報
【発明の概要】
【発明が解決しようとする課題】
【００１５】
しかしながら、上記特許文献１に記載の構成では、室外機の正面側、つまり軸流ファン１０２の略軸方向下流側における吹出グリル１０９自体の通風抵抗を低減することによるファン入力の低減と騒音の低減を図ることはできるが、軸流ファン１０２とそれを囲むオリフィスとの間に生じる通風抵抗を低減することはできず、ファン入力の低減と騒音の低減には更なる改善の余地があった。
【００１６】
すなわち、空気調和機の室外機やヒートポンプ給湯機の室外機などの室外ユニットに用いられる軸流ファンにおいて、最も流速が早くなる羽根とオリフィス内壁近傍との間の吐出側に斜め外周方向に吐出する流れに対しても通風抵抗があり、この通風抵抗を低減することは困難である。特に、この種の室内ユニットは、吹出グリル１０９の周囲を横桟１１０、縦桟１１１より太い桟で枠を形成しているため、オリフィス内壁近傍から斜め外周方向に吐出する気流に対しては通風抵抗を増加させ、軸流ファン１０２の入力の低減と室外ユニットとしての騒音の低減とを可能ならしめることは困難であるという問題点を有していた。
【００１７】
本発明上記従来の課題を解決するもので、送風機としての空力性能とファン効率を向上させ、送風機の入力低減と室外ユニットとしての騒音低減を図る送風機及び当該送風機を搭載した室外ユニットを提供するものである。
【課題を解決するための手段】
【００１８】
上記従来の課題を解決するために、本発明の送風機は、モータが連結されたハブとハブの周囲に配設された複数の羽根とからなる羽根車と、前記複数の羽根の吐出側の外周を囲
うオリフィスから成り、前記オリフィスの吐出側は吐出方向に向かって次第に広がる吹出口を有し、前記羽根の吐出側の外周端部の略半径方向外側で、上記オリフィスの吐出側の内壁から離れた位置にリング状の板を配置した構成としてある。
【００１９】
かかる構成とすることにより、羽根車から吹出され最も流速が早くなる羽根外周側のオリフィス内壁近傍の流れが、吐出方向に向かって次第に広がるオリフィス吐出側内壁近傍に沿って吹き出す際に、その気流の一部が前記オリフィス吐出側内壁とリング状の板との間に流れ込んで高速の噴流となり、この高速の噴流がリング状の板のオリフィス側とは反対側面を羽根外周側から吐出方向に向かって次第に広がるように流れる本流を誘引するようになるから当該本流はリング状の板に付着しながらスムーズに減速しつつ流れる。すなわち、羽根外周側の動圧が静圧に損失を抑えながら効率よく変換されて広がり流出する。よって、羽根車とオリフィスとの間に生じる通風抵抗を低減し、さらにオリフィス吐出側の内壁近傍の斜め外周方向への流れを促進して、送風機としての空力性能とファン効率が向上し、送風機の入力低減と室外ユニットとしての騒音低減を図ることができる。
【発明の効果】
【００２０】
本発明は、羽根車とオリフィスとの間に生じる通風抵抗を低減し、さらにオリフィス吐出側の内壁近傍の斜め外周方向への流れを促進して、送風機としての空力性能とファン効率を向上させ、送風機の入力低減と室外ユニットとしての騒音低減を図ることができる。
【図面の簡単な説明】
【００２１】
【図１】本発明の実施の形態１における送風機の子午断面図
【図２】同実施の形態１における送風機の羽根外周要部の拡大断面図
【図３】同実施の形態１における送風機を搭載した空気調和機の室外ユニットの斜視図
【図４】同実施の形態２における送風機の羽根外周要部の拡大断面図
【図５】同実施の形態３における送風機の子午断面図
【図６】同実施の形態３おける送風機を搭載した空気調和機の室外ユニットの斜視図
【図７】本発明の実施の形態４における送風機の子午断面図
【図８】同実施の形態４における送風機の羽根外周要部の拡大断面図
【図９】同実施の形態４における送風機を搭載した空気調和機の室外ユニットの斜視図
【図１０】同実施の形態５における羽根外周要部の拡大断面図
【図１１】同実施の形態６における送風機の子午断面図
【図１２】同実施の形態６における送風機を搭載した空気調和機の室外ユニットの斜視図
【図１３】同実施の形態５および６における送風機と従来の送風機の空力特性と効率特性を示す図
【図１４】従来の空気調和機用室外機の正面図
【図１５】従来の空気調和機用室外機の横断平面図
【図１６】従来の空気調和機用室外機における吹出グリル部分の一部を切除した拡大斜視図
【図１７】従来の空気調和機用室外機における吹出グリルを構成する横桟の拡大斜視図
【図１８】従来の空気調和機用室外機における吹出グリルを構成する横桟の拡大断面図
【発明を実施するための形態】
【００２２】
第１の発明は、モータが連結されたハブとハブの周囲に配設された複数の羽根とからなる羽根車と、前記複数の羽根の吐出側の外周を囲うオリフィスから成り、前記オリフィス
の吐出側は吐出方向に向かって次第に広がる吹出口を有し、前記羽根の吐出側の外周端部の略半径方向外側で、上記オリフィスの吐出側の内壁から離れた位置にリング状の板を配置した構成としてある。
【００２３】
これにより、羽根車から吹出され最も流速が早くなる羽根外周側のオリフィス内壁近傍の流れが、吐出方向に向かって次第に広がるオリフィス吐出側内壁近傍に沿って吹き出す際に、その気流の一部が前記オリフィス吐出側内壁とリング状の板との間に流れ込んで高速の噴流となり、この高速の噴流がリング状の板のオリフィス側とは反対側面を羽根外周側から吐出方向に向かって次第に広がるように流れる本流を誘引するようになるから当該本流はリング状の板に付着しながらスムーズに減速しつつ流れる。すなわち羽根外周側の動圧が静圧に損失を抑えながら効率よく変換されて広がり流出する。よって、オリフィス吐出側の内壁近傍の斜め外周方向への流れの通風抵抗にならず、流れを促進し、送風機としての空力性能とファン効率を向上させ、送風機の入力低減と室外機ユニットとしての騒音低減を図ることができる。
【００２４】
第２の発明は、前記羽根の吐出側外周端部を、上記オリフィスの吐出側の内壁に沿って略一定の隙間を保つように羽根の吐出側ほど半径方向に延出し、前記延出した外周端部のさらに略半径方向外周に、上記リング状の板を配置した構成としたものである。
【００２５】
これにより、第１の発明に加え、羽根の吐出側外周端部がオリフィスの吐出側内壁と略一定の隙間を保つことで圧力面側からの負圧面側への漏れが抑えられ、さらに外周端部を略半径方向に延出することで周速が増加するので外周端部から吐出方向に次第に広がるオリフィス吐出側内壁近傍に沿って吹き出す気流の流速がさらに増速する。その結果、リング状の板の下流端とオリフィス内壁との間からの噴流の速度が増速され、その噴流に誘引されてリング状の板のオリフィス側とは反対側を羽根外周端部から吐出方向に向かって広がるように流れる本流も増速され、風量を増加させることができる。従って、送風機としての空力性能がさらに向上し、所定の風量が必要な場合の羽根車の回転数を大幅に低減させることができ、送風機の入力低減効果と騒音低減効果をより大きくすることができる。
【００２６】
第３の発明は、前記リング状の板の上流端から下流端までの上記オリフィスの吐出側の内壁との間の距離を、略一定としたものである。
【００２７】
これにより、第１、第２の発明に加え、噴流に誘引されるリング状の板のオリフィス側とは反対側を羽根外周端部から吐出方向に向かって次第に広がるように流れる本流のリング状の板の上流端への衝突を抑えることができる。その結果、オリフィス吐出側の内壁近傍の斜め外周方向への流れの通風抵抗をさらに抑えることができ、送風機の入力低減効果と騒音低減効果をより大きくすることができる。
【００２８】
第４の発明は、前記リング状の板と上記オリフィスの吐出側の内壁との間の距離が、リング状の板の上流端の方が下流端よりも広い構成としてある。
【００２９】
これにより、第１、第２の発明に加え、リング状の板の上流端からリング状の板の下流端に向かうほどオリフィス内壁の間との距離が小さくなることで、リング状の板の下流端とオリフィス内壁の間からの噴流の速度がさらに増速される。そして、その噴流に誘引されリング状の板のオリフィス側とは反対側を羽根外周端部から吐出方向に向かって次第に広がるように流れる本流もリング状の板の上流端を回り込むためより吐出側軸方向を向くことになり、軸方向・旋回方向成分が多くなり静圧回収がさらに向上し、送風機の入力低減効果と騒音低減効果をより大きくすることができる。
【００３０】
第５の発明は、本体筐体と、前記本体筐体の内部に配置した送風機と、前記送風機の吐
出側に配置した吹出グリルから成り、前記送風機は第１〜第４の発明のいずれかの送風機とするとともに、前記送風機のリング状の板は前記吹出グリルの外枠部の一部で構成したことを特徴とする室外ユニットである。
【００３１】
これにより、吹出口のオリフィス吐出側内壁近傍に沿って吹き出す気流は、その一部が吹出グリルの外枠部で構成されたリング状の板の下流端とオリフィス内壁の間から高速の噴流として噴き出し、その噴流に誘引されリング状の板のオリフィス側とは反対側を羽根外周端部から吐出方向に向かって次第に広がるように流れる本流がリング状の板に付着しながらスムーズに減速しつつ流れるので、通風抵抗を減少し、さらにオリフィス吐出側の内壁近傍の斜め外周方向への流れを促進し、室外ユニットに搭載した送風機の空力性能とファン効率を向上させ、送風機の入力低減と室外機ユニットとしての騒音低減を図ることができる。
【００３２】
以下、本発明の実施の形態について、図面を参照しながら説明する。なお、この実施の形態によってこの発明が限定されるものではない。
【００３３】
（実施の形態１）
図１は本発明の実施の形態１における送風機の子午断面図、図２は同送風機の羽根外周要部の拡大断面図、図３は同送風機を搭載した室内ユニットの斜視図である。
【００３４】
図１〜図３おいて、１は室外ユニットの本体筐体であり、その本体筐体１の内部には、軸流式の送風機２が搭載されている。３は送風機２の羽根車で、モ−タ４のシャフト５に固定された略円筒状のハブ６に複数の羽根７を放射状に設けて構成してある。８は上記送風機２の羽根７の外周端部７ｅの回転軌跡に沿う適切な形状としたオリフィスで、羽根７の吐出側７ｂを囲うようにしている。
【００３５】
上記オリフィス８は、その吐出側８ｂは吐出方向に向かって次第に広がる吹出口９となっており、羽根７の吐出側７ｂの外周端部７ｅの斜め後方で略半径方向外側にリング状の板１０が配置されている。
【００３６】
上記リング状の板１０は、オリフィス８の吐出側８ｂの内壁８ｂ１から離れた位置に配置されており、この実施の形態では上流端１０ａおよび下流端１０ｂとオリフィス８の吐出側８ｂの内壁８ｂ１との間の距離Ｓ１、Ｓ２を、略一定とした断面が円弧状ものである。例えば、本実施の形態１では、羽根車３の外径ｄ２をφ４３５ｍｍとした場合、Ｓ１、Ｓ２は約１ｍｍとしてある。
【００３７】
また、前記室外ユニットの本体筐体１には送風機２の吹出方向面側に吹出グリル１１が設置してある。この吹出グリル１１は、図３に示すように、送風機２の正面側にある同心円状の桟１１ａと放射状の桟１１ｂと吹出グリルの最外周部に当たる外枠部１１ｃから成り、同心円状の外枠部１１ｃは複数の略リング状板１１ｄが配置され、最もオリフィス８の吐出側８ｂに近いリング状板が先に述べた送風機２のリング状の板１０となるものである。
【００３８】
以上のように構成された送風機およびその送風機が搭載された室外ユニットについて、以下その動作、作用を説明する。
【００３９】
まず、モータ４により羽根車３が回転駆動し、本体筐体１内の室外熱交換器（図示せず）を介して室外空気を、羽根車３内に導く。その際、複数の羽根７と、羽根７の周囲に設けられたオリフィス８により、動圧と静圧が付加され送風作用を成す。また、室外熱交換器を通過する際に、コンプレッサ（図示せず）の作動により室外熱交換器の管内を流動す
る冷媒と熱交換する。
【００４０】
そして、図２で示すように、吸込み側がオリフィス８により囲われていない半開放側の軸流式あるいは斜流式の羽根車３において、羽根車３の上流のみならず、オリフィス８に囲まれていない外周からも羽根車３の翼間に気流が吸い込まれ、最も流速が早くなる羽根７の外周側７ｃのオリフィス８の内壁近傍の流れが、吐出方向に向かって次第に広がる吹出口９のオリフィス８の吐出側８ｂの内壁近傍に沿って吹き出す際に、その気流Ｗ２の一部が吐出側８ｂに沿って広がるオリフィス８の内壁８ｂ１に沿うリング状の板１０の下流端１０ｂとオリフィス８の内壁８ｂ１の間から高速の噴流Ｗ３となる。一方、前記気流Ｗ２のうち羽根７の外周端部７ｅ側から吐出方向に向かって次第に広がって流れる本流Ｗ１が、前記噴流Ｗ３に誘引される形でリング状の板１０のオリフィス８側とは反対側を当該リング状の板１０に付着しながらスムーズに減速しつつ流れるようになる。すなわち、広がり損失を抑えながら羽根７の外周端部７ｅの動圧が静圧に効率的に変換されることになる。
【００４１】
その結果、羽根外周側のオリフィス近傍の流れ、すなわち、オリフィス８の吐出側８ｂの内壁近傍の斜め外周方向への流れが通風抵抗にならず、流れを促進し、送風機２としての空力性能とファン効率を向上させ、送風機２の入力低減と室外ユニットとしての送風騒音低減を図ることができる。
【００４２】
また、リング状の板１０の上流端１０ａから下流端１０ｂまでのオリフィス８の吐出側８ｂの内壁との距離を略一定とすることにより、噴流Ｗ３に誘引されるリング状の板１０のオリフィス８側とは反対側を羽根外周側から吐出方向に向かって次第に広がるように流れる本流Ｗ１のリング状の板１０の上流端１０ａへの衝突を抑えることができる。
【００４３】
その結果、オリフィス８の吐出側８ｂの内壁近傍の斜め外周方向への流れの通風抵抗をさらに抑えることができ、送風機２の入力低減と室外ユニットとしての送風騒音低減を図ることができる。
【００４４】
（実施の形態２）
図４は実施の形態２における送風機を示し、この実施の形態２の送風機は実施の形態１で説明したリング状の板１０とオリフィス８の吐出側８ｂの内壁８ｂ１との間からの噴流を増速させるようにしたものである。
【００４５】
以下、図４を用いて説明するが、実施の形態１と同じ構成要件については同一の符号を付して説明を省略し、異なる部分のみ説明する。
【００４６】
この実施の形態２におけるリング状の板１０は図４で示すように、上流端１０ａとオリフィス８の吐出側８ｂの内壁８ｂ１との距離Ｓ１が、下流端１０ｂとオリフィス８の吐出側８ｂの内壁８ｂ１との距離Ｓ２より広く設定してある。例えば、本実施の形態２では、羽根車３の外径ｄ２をφ４３５ｍｍとした場合、Ｓ１は約３．５ｍｍ、Ｓ２は約１ｍｍとしてある。
【００４７】
このような構成とすることにより、リング状の板１０の上流端１０ａから下流端１０ｂに向かうほどオリフィス８の吐出側８ｂの内壁８ｂ１との間の距離が小さくなることで、リング状の板１０の下流端１０ｂとオリフィス８の内壁８ｂ１との間からの噴流Ｗ３の速度がさらに増速される。そして、その噴流Ｗ３に誘引されリング状の板１０のオリフィス８側とは反対側を羽根７の外周端部７ｅから吐出方向に向かって次第に広がるように流れる本流Ｗ１もリング状の板１０の上流端１０ａを回り込むためより吐出側軸方向を向くことになり、軸方向・旋回方向成分が多くなって静圧回収がさらに向上する。よって、更に
送風機２としての空力性能とファン効率を向上させ、送風機２の入力低減と室外ユニットとしての送風騒音低減を図ることができる。
【００４８】
（実施の形態３）
図５、図６は実施の形態３における送風機及び当該送風機を搭載した室内ユニットを示し、この実施の形態３は吹出グリル１１の外枠部１１ｃを略角形とし、オリフィス８の吐出側８ｂに最も近いリング状板を送風機２のリング状の板１０としたもので、その作用効果は前記実施の形態１と同様であり、説明は省略する。
（実施の形態４）
図７は本発明の実施の形態４における送風機の子午断面図、図８は同送風機の羽根外周要部の拡大断面図、図９は同送風機を搭載した室内ユニットの斜視図である。
【００４９】
この実施の形態４は、送風機２の羽根７の吐出側外周端部１２を、オリフィス８の吐出側８ｂの内壁に沿って略一定の隙間を保つように羽根７の吐出側７ｂほど半径方向に延出し、延出した吐出側外周端部１２のさらに略半径方向外周に、オリフィス８の吐出側８ｂの内壁８ｂ１から離れた位置にリング状の板１０を配置したものである。その他の構成は実施の形態１と同様であり、実施の形態１と同一の符号を付して説明は省略する。
【００５０】
この実施の形態４の構成によれば、羽根７の吐出側外周端部１２がオリフィス８の吐出側８ｂ内壁８ｂ１と略一定の隙間を保つことで、吐出側外周端部１２の圧力面側からの負圧面側への漏れが抑えられ、さらに吐出側外周端部１２を略半径方向に延出することで周速が増加することで吐出側外周端部１２から、吐出方向に次第に広がるオリフィス８の吐出側８ｂ内壁近傍に沿って吹き出す気流Ｗ５の流速がさらに増速する。
【００５１】
その結果、リング状の板１０の下流端１０ｂとオリフィス８の内壁８ｂ１の間からの噴流Ｗ６の速度が増速され、噴流Ｗ６に誘引されリング状の板１０のオリフィス８側とは反対側を羽根７の吐出側外周端部１２から吐出方向に向かって次第に広がるように流れる本流Ｗ４も増速されることで、風量を増加させることができる。
【００５２】
従って、送風機２としての空力性能がさらに向上し、所定の風量が必要な場合の羽根車３の回転数を大幅に低減させることができ、送風機２の入力低減効果と室外機ユニットとしての送風騒音低減効果をより大きくすることができる。
【００５３】
なお、その他の作用効果は実施の形態１と同様であり、説明は省略する。
【００５４】
（実施の形態５）
図１０は実施の形態５における送風機を示し、この実施の形態５の送風機は実施の形態４で説明したリング状の板１０とオリフィス８の吐出側８ｂの内壁８ｂ１との間からの噴流を、実施の形態２と同様、増速させるようにしたものである。
【００５５】
以下、図１０を用いて説明するが、実施の形態４と同じ構成要件については同一の符号を付して説明を省略止、異なる部分のみ説明する。
【００５６】
この実施の形態５におけるリング状の板１０は、実施の形態２と同様、リング状の板１０の上流端１０ａとオリフィス８の吐出側８ｂの内壁８ｂ１との距離Ｓ１が、下流端１０ｂとオリフィス８の吐出側８ｂの内壁８ｂ１との距離Ｓ２より広い状態で配置してある。例えば、実施の形態２と同様、羽根車３の外径ｄ２をφ４３５ｍｍとした場合、Ｓ１は約３．５ｍｍ、Ｓ２は約１ｍｍとしてある。
【００５７】
このような構成とすることにより、実施の形態２でも説明したように、リング状の板１
０の下流端１０ｂとオリフィス８の内壁８ｂ１との間からの噴流Ｗ５の速度がさらに増速される。そして、その噴流Ｗ５に誘引されリング状の板１０のオリフィス８側とは反対側を羽根７の外周端部７ｅから吐出方向に向かって次第に広がるように流れる本流Ｗ４もリング状の板１０の上流端１０ａを回り込むためより吐出側軸方向を向くことになり、軸方向・旋回方向成分が多くなって静圧回収がさらに向上する。よって、更に送風機２としての空力性能とファン効率を向上させ、送風機２の入力低減と室外ユニットとしての送風騒音低減を図ることができる。
【００５８】
図１３は前記実施の形態４および実施の形態５における送風機２の空力性能、効率特性を、従来の吐出側の外周端部が略半径方向に延出していない羽根車と、オリフィスを組み合わせた送風機（これを従来品と称す）と比較して示したものである。なお、図１３では、羽根車外径ｄ２＝４３５ｍｍにより評価した数値を無次元化して示している。
【００５９】
図１３から明らかなように、図８、図１０の実施の形態４，５の構成品の場合は、ともに従来品に比べ、同一流量係数で、圧力係数が高く、空力特性が向上しており、特に流量係数が低い場合に従来品に対し、高い圧力係数を示す。また、送風機２としてファン効率（静圧）も向上し、最高効率点付近で駆動する場合、モータ４の入力を低減できる。
【００６０】
（実施の形態６）
図１１、図１２は実施の形態６における送風機及び当該送風機を搭載した室内ユニットを示し、この実施の形態６は実施の形態３と同様吹出グリル１１の外枠部１１ｃを略角形とし、オリフィス８の吐出側８ｂに最も近いリング状板を送風機２のリング状の板１０としたもので、その作用効果は前記実施の形態４と同様であり、説明は省略する。
【００６１】
以上のように、前記各実施の形態にかかる送風機及び室外ユニットは、空気調和機の室外機やヒートポンプ給湯機のユニットに用いられる軸流式あるいは斜流式の羽根車において、最も流速が早くなる羽根７の外周側のオリフィス８近傍の流れが、吐出方向に次第に広がる吹出口９のオリフィス吐出側内壁近傍に沿って吹き出す際に、その気流の一部をオリフィス内壁に沿うリング状の板１０の下流端とオリフィス８内壁の間から高速の噴流として噴き出させ、その噴流に誘引されリング状の板１０のオリフィス側とは反対側を羽根外周側から吐出方向に向かって次第に広がるように流れる本流がリング状の板１０に付着しながらスムーズに減速しつつ流れることで、通風抵抗にならず、さらにオリフィス吐出側の内壁近傍の斜め外周方向への流れを促進することができる。従って、室外ユニットの送風効率の向上とヒートポンプユニットとしての高い熱交換能力を両立でき、さらに低騒音化が可能となる。
【産業上の利用可能性】
【００６２】
以上のように本発明は、室外ユニットの送風効率の向上とヒートポンプユニットとしての高い熱交換能力を両立でき、さらに低騒音化が可能となるので、家庭用、業務用エアコン等の空調機器、家庭用冷凍冷蔵庫や自動販売機等の冷凍冷蔵機器、給湯機等のヒートポンプ機器、さらに熱電子部品を有する電子機器のみならず、ＡＶ機器、廃熱回収機器などの用途にも適用できる。
【符号の説明】
【００６３】
１  本体筐体
２  送風機
３  羽根車
４  モータ
６  ハブ
７  羽根
７ｂ  吐出側
７ｅ  外周端部
８    オリフィス
８ｂ  吐出側
９  吹出口
１０  リング状の板
１０ａ  上流端
１０ｂ  下流端
１１  吹出グリル
１１ｃ  外枠部
１２  吐出側外周端部
【図１】
2014240633.tif 000003
【図２】
2014240633.tif 000004
【図３】
2014240633.tif 000005
【図４】
2014240633.tif 000006
【図５】
2014240633.tif 000007
【図６】
2014240633.tif 000008
【図７】
2014240633.tif 000009
【図８】
2014240633.tif 000010
【図９】
2014240633.tif 000011
【図１０】
2014240633.tif 000012
【図１１】
2014240633.tif 000013
【図１２】
2014240633.tif 000014
【図１３】
2014240633.tif 000015
【図１４】
2014240633.tif 000016
【図１５】
2014240633.tif 000017
【図１６】
2014240633.tif 000018
【図１７】
2014240633.tif 000019
【図１８】
2014240633.tif 000020